(57)【要約】【課題】  浮遊物体を簡単に捕捉して揚収できるようにする。【解決手段】  伸縮式としたロッド部１１の先端部に、吊り具１２を一体的に取り付ける。吊り具１２は、ロッド部１１を伸長したときの長さよりも長いロープ状の吊り具本体１２ａの両端部にリング状の耳部１２ｂと１２ｃを有する。吊り具本体１２ａの一端側の耳部１２ｂの近傍位置をロッド部１１の先端部に結着させる。上記吊り具本体１２ａの一端側の耳部１２ｂのリングに吊り具本体１２ａを通して、吊り具１２による輪１２Ａを形成し、輪１２Ａの一部をロッド部１１側のクリップ１５でつかみ、輪１２Ａの形状を保持するようにする。吊り具１２の輪１２Ａを浮遊物体１３に嵌めて固縛し、吊り具１２を吊り上げて浮遊物体１３を揚収する。【選択図】図１
2009161000.tif 000002
【特許請求の範囲】
【請求項１】
操作用のロッド部と、浮遊物体に固縛して吊り上げるようにする吊り具とを備え、上記ロッド部の先端部に、吊り具の一端側を結着して、ロッド部と吊り具を一体のものとし、且つ上記吊り具の一端側に、浮遊物体に嵌合させる輪を形成させて、該輪を、吊り具の他端側を引張ることにより縮径させるようにして浮遊物体を固縛するようにした構成を有することを特徴とする浮遊物体揚収装置。
【請求項２】
ロッド部を伸縮できるようにし、吊り具の輪で浮遊物体を固縛して引揚げる揚収時に短縮させるようにした請求項１記載の浮遊物体揚収装置。
【請求項３】
ロッド部の先端部に、クリップを取り付け、吊り具の輪の一部をクリップでつかんで輪の形状を保持させるようにした請求項１又は２記載の浮遊物体揚収装置。
【請求項４】
ロッド部の先端部に、屈曲させて形状を変更することが可能な枠を浮遊物体の形状に屈曲させて取り付け、該枠に吊り具の輪の一部を沿わせて、輪の縮径時に該枠も一緒に縮径方向へ変形できるようにした請求項１又は２記載の浮遊物体揚収装置。
【請求項５】
ロッド部の先端部に、ホースを使用したフレームを浮遊物体の形状に屈曲させて取り付け、該ホースを使用したフレームに吊り具の輪の一部を離脱可能に保持させ、輪の縮径時に吊り具がホースを使用したフレームから離脱して浮遊物体を固縛できるようにした請求項１又は２記載の浮遊物体揚収装置。
【発明の詳細な説明】
【技術分野】
【０００１】
本発明は、水面上を浮遊する流木、大型ごみ、航走体、人の如き水面を浮遊する物体を揚収するときに用いる浮遊物体揚収装置に関するものである。
【背景技術】
【０００２】
浮遊物体を揚収する場合は、一般に浮遊物体が存在する現場まで船で移動し、船上より浮遊物体を捕捉して船上に回収するようにすることが行われている。
【０００３】
上記浮遊物体のうち、たとえば、航走体、すなわち、水中を航走するようにしてある水中航走体を揚収するようにしたものとして、図５に示すようにしたものが提案されている。すなわち、水中の水中航走体１の捕獲は、揚収網２を水中航走体１に被せて行うようにし、船体上への揚収は、船体３の舷側から水中に斜めに差し入れて掛止フック４を介して舷側条板５に掛止し且つサポート斜材６により所定の傾斜角度に保持されるようにした揚収斜板７を用いるようにしてあり、上記揚収網２により捕獲された水中航走体１を、上記揚収斜板７上に引き揚げて載せた後、揚収網２の網口８を絞る揚収ロープ９を船上の作業員１０が牽引することにより、水中航走体１を揚収斜板７に沿い引き揚げて船体３上に揚収するようにしてある（たとえば、特許文献１参照）。
【０００４】
【特許文献１】特開平１１−２９１９８１号公報
【発明の開示】
【発明が解決しようとする課題】
【０００５】
ところが、前記した特許文献１に記載されたものは、水中航走体１の揚収に、揚収網２、揚収斜板７等を用いるものであり、しかも、揚収網２を水中航走体１に被せる作業はダイバーによるものであり、船上から水中航走体を捕獲して揚収するものではない。そのため、従来の作業はダイバー作業を不可欠とするものであり、又、揚収網を水中航走体に被せるもので、水中航走体以外の物体の揚収に適用する場合に予め決まった形状の物体に絞られてきて、多種多様な物体の揚収には対応できないものである。
【０００６】
そこで、本発明は、船上から水面上を浮遊している多種多様な形状を有する物体を簡単に捕捉することができて揚収できるようにする浮遊物体の揚収装置を提供しようとするものである。
【課題を解決するための手段】
【０００７】
本発明は、上記課題を解決するために、操作用のロッド部と、浮遊物体に固縛して吊り上げるようにする吊り具とを備え、上記ロッド部の先端部に、吊り具の一端側を結着して、ロッド部と吊り具を一体のものとし、且つ上記吊り具の一端側に、浮遊物体に嵌合させる輪を形成させて、該輪を、吊り具の他端側を引張ることにより縮径させるようにして浮遊物体を固縛するようにした構成とする。
【０００８】
又、ロッド部を伸縮できるようにして、浮遊物体の揚収時にロッド部を短縮させておくようにしてもよい。
【０００９】
更に、ロッド部の先端部に、クリップを取り付け、吊り具の輪の一部をクリップでつかんで輪の形状を保持させるようにしたり、クリップに代えて、屈曲させて形状を変更することが可能な枠を浮遊物体の形状に屈曲させて取り付け、該枠に吊り具の輪の一部を沿わせて、輪の縮径時に該枠も一緒に縮径方向へ変形できるようにしたり、上記屈曲させて形状を変更することが可能な枠に代えて、ホースを使用したフレームを浮遊物体の形状に屈曲させて取り付け、該ホースを使用したフレームに吊り具の輪の一部を離脱可能に保持させ、輪の縮径時に吊り具がホースを使用したフレームから離脱して浮遊物体を固縛できるようにした構成とする。
【発明の効果】
【００１０】
本発明によれば、以下の如き優れた効果を発揮する。 
（１）操作用のロッド部と、浮遊物体に固縛して吊り上げるようにする吊り具とを備え、上記ロッド部の先端部に、吊り具の一端側を結着して、ロッド部と吊り具を一体のものとし、且つ上記吊り具の一端側に、浮遊物体に嵌合させる輪を形成させて、該輪を、吊り具の他端側を引張ることにより縮径させるようにして浮遊物体を固縛するようにした構成とすることにより、船上から浮遊物体に吊り具の輪を嵌めることができ、その後、吊り具を吊り上げることにより吊り具で固縛された浮遊物体がそのまま引き揚げられ船体上に簡単に揚収できる。これにより多種多様な浮遊物体に対応させることができる。 
（２）ロッド部を伸縮できるようにすることにより、浮遊物体の揚収時に短縮させておくことができて、浮遊物体の揚収時にロッド部が邪魔になるようなことがない。 
（３）ロッド部の先端部に、クリップを取り付け、吊り具の輪の一部をクリップでつかんで輪の形状を保持させるようにした構成とすることにより、吊り具の輪を広げた状態でクリップで保持できて、水中に輪を沈めるときに水中で吊り具を輪の形に保持できる。 
（４）ロッド部の先端部に、屈曲させて形状を変更することが可能な枠を浮遊物体の形状に屈曲させて取り付け、該枠に吊り具の輪の一部を沿わせて、輪の縮径時に該枠も一緒に縮径方向へ変形できるようにした構成としたり、ホースを使用したフレームを円弧形状に屈曲させて取り付け、該ホースを使用したフレームに吊り具の輪の一部を離脱可能に保持させ、輪の縮径時に吊り具がホースを使用したフレームから離脱して浮遊物体を固縛できるようにした構成とすることにより、吊り具の輪を広い範囲に亘って保持できて、水中に沈めたときにも輪の形を崩すことなく保持でき、浮遊物体の捕捉をより容易に行うことが可能となる。
【発明を実施するための最良の形態】
【００１１】
以下、本発明を実施するための最良の形態を図面を参照して説明する。
【００１２】
図１（イ）（ロ）（ハ）は本発明の実施の一形態を示すもので、操作用のロッド部１１と該ロッド部１１の先端部に一体的に取り付けられて浮遊物体１３を捕捉して吊り上げられるようにしてある吊り具１２とを備えたものとする。
【００１３】
上記ロッド部１１は、伸長した最長の状態と収縮した最短の状態との間で任意に長さ調整できるように伸縮できるようにしてあり、先端部の片側（下側）にブラケット１４を取り付けて、吊り具１２の一部を離脱可能に挟持するクリップ１５を該ブラケット１４に取り付けるようにし、又、反対側（上側）に吊り具ガイド１６を取り付けた構成としてある。
【００１４】
上記吊り具１２は、所要長さ、たとえば、上記ロッド部１１が伸長したときの長さ寸法よりも長い寸法としてあるロープ状の吊り具本体１２ａの一端側に、該吊り具本体１２ａを通して輪１２Ａを形成させるようにするリング状の耳部１２ｂを設け、且つ吊り具本体１２ａの他端側に、クレーン等のフックに引掛けるためのリング状の耳部１２ｃを設けた構成とする。
【００１５】
上記伸縮式のロッド部１１と吊り具１２とは、ロッド部１１の先端に吊り具１２の一端側の耳部１２ｂの近傍位置を結着部１７で一体的に結着させることにより分離することのない一体構造物とし、吊り具１２の一端側の耳部１２ｂのリングに吊り具本体１２ａを通すことにより、ロッド部１１の先端側に吊り具本体１２ａによる輪１２Ａが形成され、吊り具本体１２ａをロッド部１１の先端部の吊り具ガイド１６に通すことにより、吊り具１２の他端側を引張ったときに、吊り具本体１２ａがロッド部１１の先端部に沿い円滑にスライドして、上記輪１２Ａの中に浮遊物体１３を固縛できるようにする。
【００１６】
上記構成としてある本発明の浮遊物体揚収装置を用いて、図１（ロ）に示すような細長い棒状の浮遊物体１３を揚収する場合は、図１（イ）に示すように吊り具１２による輪１２Ａを、浮遊物体１３の径よりも大径に予め形成させておくようにすると共に、輪１２Ａを形成している吊り具本体１２ａの一部をクリップ１５でつかみ、輪１２Ａが極力広がるようにしておく。
【００１７】
上記の状態で、ロッド部１１の末端部と吊り具１２の他端側の耳部１２ｃを把持し、ロッド部１１の先端側を船上より浮遊物体１３の長手方向の一端側に位置させた後、吊り具１２の輪１２Ａを水中に沈めるようにする。この際、吊り具１２の輪１２Ａが水面上に浮上して沈下しないような場合は、図１（イ）に示す如く、輪１２Ａの下側となる部分に予め重錘１８を取り付けておくようにするか、あるいは、図１（ハ）に示す如く、ロッド部１１の先端を水中に沈めるようにして吊り具１２の輪１２Ａがロッド部１１の先端部よりも上方に位置するようにする。これにより、吊り具１２の輪１２Ａを浮遊物体１３の一端側より該浮遊物体１３の外側へ嵌合させると、浮遊物体１３の揚収ができるように、該浮遊物体１３の中央部分まで吊り具１２の輪１２Ａを移動させる。
【００１８】
次に、ロッド部１１を把持したまま吊り具１２の他端側を引張って吊り具１２の輪１２Ａを絞るようにする。これにより、吊り具本体１２ａは、ロッド部１１の先端部の吊り具ガイド１６により規制された方向へ引かれるため、一端側の耳部１２ｂのリング内に通されている吊り具本体１２ａが他端側へ移動して吊り具１２の輪１２Ａは絞られて行く。この吊り具１２の輪１２Ａが縮径する途中でクリップ１５につかまれていた吊り具本体１２ａは、クリップ１５から離脱して浮遊物体１３の外表面に接触し、浮遊物体１３を固縛できる。
【００１９】
しかる後、上記吊り具１２の他端側の耳部１２ｃを、クレーン等のフックに掛け、機械的に吊り具１２を吊り上げるようにすると共に、ロッド部１１を短縮させて図１（ロ）に示すように短尺の状態にしておくようにする。上記吊り具１２の吊り上げにより、吊り具１２による浮遊物体１３の固縛がより強固に行われ、以降のクレーン等による浮遊物体１３の船上への引き揚げを確実に行わせることができる。又、この際、ロッド部１１は短縮させて短尺のものとしておくことにより、浮遊物体１３の揚収時にロッド部１１が邪魔になるようなことはない。
【００２０】
船上への浮遊物体１３の揚収は、上記のように吊り具１２を介して行い、船上への揚収後は、浮遊物体１３から吊り具１２を取り外して、ロッド部１１は伸長させ、且つ吊り具１２の輪１２Ａを大きくしてクリップ１５で保持するようにすれば、再び使用することができるようになる。
【００２１】
次に、図２（イ）（ロ）は、本発明の実施の他の形態を示すもので、前記した図１（イ）に示したものと同様に構成したものにおいて、吊り具１２の輪１２Ａの一部をクリップ１５でつかむことにより、輪１２Ａを広げるようにしたことに代えて、屈曲させて形状を変更することが可能な枠１９で吊り具１２の輪１２Ａを保持して輪１２Ａの縮径時に吊り具本体１２ａと一緒に変形できるようにしたものである。
【００２２】
すなわち、伸縮式としてあるロッド部１１の先端部に取り付けたブラケット１４に、たとえば、可撓性を有する帯状板２０の片面に吊り具本体１２ａを沿わせて連結具２１で保持できるようにして、吊り具本体１２ａと一緒に形状を自在に変更できるようにしてある屈曲させて形状を変更することが可能な枠１９、あるいは、針金を螺旋状に巻いて浮遊物体の形状に折り曲げた状態にして形状を変更することが可能な枠の一端部を固定し、該ブラケット１４より上記枠１９が屈曲した状態に突出しているようにし、該枠１９に沿い吊り具本体１２ａが通って吊り具１２の輪１２Ａを形成するようにする。
【００２３】
その他の構成は、図１（イ）に示したものと同じで、同一のものには同一符号が付してある。
【００２４】
この実施の形態によれば、吊り具１２の輪１２Ａを形成するときに、屈曲させて形状を変更することが可能な枠１９を予め浮遊物体１３の形状に沿うように変形させることにより、吊り具１２の輪１２Ａの大きさを、該枠１９の屈曲形状に広げて確保させることができると共に、吊り具１２の輪１２Ａを大きく広げた姿勢で保持させることができる。
【００２５】
浮遊物体１３を揚収するときは、前記した図１の場合と同様に、ロッド部１１の先端部に吊り具１２の輪１２Ａを上記枠１９を介して形成した状態で、浮遊物体１３の一端側へ吊り具１２の輪１２Ａを位置させた後、該輪１２Ａを浮遊物体１３の一端側より該浮遊物体１３の外側へ嵌合させて行く。吊り具１２の輪１２Ａが図２（ロ）に示すように浮遊物体１３の長手方向の中央部分にまで移されると、吊り具１２の他端側を引張って吊り具１２の輪１２Ａを絞るようにする。これにより、吊り具１２の輪１２Ａが縮径されると同時に上記形状変更可能な枠１９も小径となるように変形し、吊り具本体１２ａと上記枠１９が一緒に浮遊物体１３の外表面に接触する状態となり、吊り具１２の他端側の耳部１２ｃをクレーン等で吊ることにより、揚収することができることになる。
【００２６】
なお、浮遊物体１３を船上に揚収する操作は、図１について説明したものと同じである。
【００２７】
又、図３（イ）（ロ）は本発明の実施の他の形態を示すもので、図２（イ）に示したものと同様な構成としたものにおいて、屈曲させて形状を変更することが可能な枠１９に代えて、ホースを使用したフレーム２２を用いるようにしたものであり、その他の構成は図２に示すものと同じであり、同一のものには同一符号が付してある。
【００２８】
すなわち、ホースを使用したフレーム２２として、円弧形状に屈曲した姿勢を保持できるように成形したホース体２３の内径側を、ホース体２３の全長に亘りスリット状に切断して、該切断部を吊り具本体１２ａが通過できるようにしたものとし、該ホースを使用したフレーム２２の一端部を、ロッド部１１の先端部に設けたブラケット１４に固定し、該ブラケット１４からホースを使用したフレーム２２が円弧形状のまま突出しているようにする。
【００２９】
上記ブラケット１４に固定されているホースを使用したフレーム２２は、ホース体２３の内部に、吊り具本体１２ａを挿通させることにより、吊り具１２の輪１２Ａを保持するようにしてあり、吊り具１２の輪１２Ａを形成している吊り具本体１２ａの長さの半分以上の部分がホースを使用したフレーム２２に保持された状態で輪１２Ａが形成されるようにしてある。これにより、吊り具１２の輪１２Ａを水中に沈めても、水中で輪１２Ａを維持することができ、浮遊物体１３の外側に吊り具１２の輪１２Ａを容易に嵌合させることが可能となる。
【００３０】
浮遊物体１３の揚収に際して、吊り具１２で浮遊物体１３を固縛するため、吊り具１２の輪１２Ａを絞り縮径させるときは、吊り具１２の輪１２Ａが縮径する過程で吊り具本体１２ａがホースを使用したフレーム２２の内部から内径側の切断部を通ってホースを使用したフレーム２２の内側へ露出し、更に吊り具１２の輪１２Ａが縮径することにより吊り具本体１２ａが浮遊物体１３の外表面に接触して固縛することになる。
【００３１】
吊り具本体１２ａから分離したホースを使用したフレーム２２は、ロッド部１１の先端側に固定された状態で残り、浮遊物体１３の揚収時に、浮遊物体１３と一緒に船上へ持ち上げられることになる。
【００３２】
なお、浮遊物体１３を船上に揚収する操作は、図１について説明したものと同じである。又、万一、ブラケット１４に固定したホースを使用したフレーム２２がブラケット１４から脱落するおそれがある場合は、ホースを使用したフレーム２２の亡失防止のために亡失防止索２４をロッド部１１とホースを使用したフレーム２２との間に介装しておくようにすればよい。
【００３３】
なお、本発明は、上記した実施の各形態のものに限定されるものではなく、たとえば、各実施の形態では、ロッド部１１は伸縮可能なものとして、浮遊物体１３の揚収時にロッド部１１を短縮させておくようにした場合を例示したが、図４に示す如く、ロッド部１１は伸縮しない長尺物のものとし、且つロッド部１１の長手方向の所定個所に吊り具ガイド２５を設けて、吊り具本体１２ａを通しておくようにし、浮遊物体１３を船上に揚収するときに吊り具１２の他端側の耳部１２ｃをクレーン等のフックに掛けて吊り上げるときに、吊り具１２とロッド部１１が一体的に持ち上げられるようにしてもよく、又、図４に示すロッド部１１は、図２、図３に示す実施の形態のものに適用するようにしてもよいこと、更に、浮遊物体１３としては棒状のものを例示して説明したが、大型のごみ、航走体等の捕捉、人の救助にも同様に適用できること、その他本発明の要旨を逸脱しない範囲内で種々変更を加え得ることは勿論である。
【図面の簡単な説明】
【００３４】
【図１】本発明の浮遊物体揚収装置の実施の一形態を示すもので、（イ）は概略側面図、（ロ）は浮遊物体の揚収時の状態を示す概要図、（ハ）は（ロ）とは異なる揚収時の状態を示す概要図である。
【図２】本発明の実施の他の形態を示すもので、（イ）は概略側面図、（ロ）は浮遊物体の揚収時の状態を示す概要図である。
【図３】本発明の実施の他の形態を示すもので、（イ）は概略側面図、（ロ）は浮遊物体の揚収時の概要図である。
【図４】本発明の実施の別の形態を示す概略側面図である。
【図５】従来の水中航走体の揚収装置を示す図である。
【符号の説明】
【００３５】
１１  ロッド部
１２  吊り具
１２Ａ  輪
１２ａ  吊り具本体
１２ｂ  耳部
１２ｃ  耳部
１３  浮遊物体
１５  クリップ
１９  屈曲させて形状を変更することが可能な枠
２２  ホースを使用したフレーム
【図１】
2009161000.tif 000003
【図２】
2009161000.tif 000004
【図３】
2009161000.tif 000005
【図４】
2009161000.tif 000006
【図５】
2009161000.tif 000007